(57)【要約】      （修正有）【課題】蓋体を開いた状態でも収納した荷物が露出して見掛けが悪くなることがなく、また本体側と蓋体側に分けて荷物を収納する必要がなく、さらに蓋体を開閉操作する場合にも荷物の荷重が掛からずその操作がし易く、しかも鞄を立てたままにして蓋体を開いても収納した荷物が落ちてしまうことがない鞄を提供する。【解決手段】箱状とした本体１から箱状とした蓋体２を見開き状態に開閉操作ができるようにしており、蓋体２を閉じた状態において、この蓋体２の内側に沿うようにすると共に、収納した荷物の出入れ口を有したテント状内装体５を、本体１の開口周縁部１ａに設けている。【選択図】図１
2016158730.tif 000002
【特許請求の範囲】
【請求項１】
箱状とした本体（１）から箱状とした蓋体（２）を見開き状態に開閉操作ができるようにしており、前記蓋体（２）を閉じた状態において、この蓋体（２）の内側に沿うようにすると共に、収納した荷物の出入れ口（４）を有したテント状内装体（５）を、前記本体（１）の開口周縁部（１ａ）に設けていることを特徴とする鞄。
【請求項２】
前記テント状内装体（５）は、天面部（５ａ）と側周面部（５ｂ）により略四角屋根状に形成されていることを特徴とする請求項１記載の鞄。
【請求項３】
前記テント状内装体（５）は、本体（１）の内周面部（１ｂ）に沿うようにして内側に折り返せるようにしていることを特徴とする請求項１記載の鞄。
【請求項４】
前記テント状内装体（５）は、側周面部（５ｂ）を構成する外生地（６）と内生地（７）の間に保持板（８）を内装して、下端周縁部を前記本体（１）の開口周縁部（１ａ）に縫着していることを特徴とする請求項１記載の鞄。
【発明の詳細な説明】
【技術分野】
【０００１】
この発明は、箱状とした本体と箱状とした蓋体からなる鞄に関し、特に大型の旅行用鞄等として用いられるのに好ましい鞄に関するものである。
【背景技術】
【０００２】
従来、この種の鞄としては、例えば図６に示したように、箱状とした本体１１と箱状とした蓋体１２とをそれぞれ合成樹脂材で一体成形し、その一辺部をそれぞれヒンジ連結して見開き状態に開放できるようにしており、本体１１の開口部に仕切り生地１３を設けたものが存在する（特許文献１）。
【０００３】
そして、前記鞄の本体１１の開口部に設けられた仕切り生地１３は、本体１１を仕切るために使用するものであり、本体１１を奥側と開口側とに仕切るようにしている。さらに、この仕切り生地１３は内蓋としての機能もあり、蓋体１２を上から被せるようにして閉じる際に収納物が落ちないようにする使用目的にも対応できる。したがって、この仕切り生地１３は、本体１１側に代え、または本体１１側と共に、蓋体１２側に設けてもよいとしている。
【０００４】
さらに、この種の鞄としては、例えば図７に示したように、バックシェル（本体）２１とフロントシェル（蓋体）２２を備え、フロントシェル（蓋体）２２の内側に広がる底層２３および最上層２４を有しており、底層２３および最上層２４の周縁部は第二線ファスナー２５に連結され、最上層２４は開口部と、開口部の周りに装着された第三線ファスナー２６を有したものが存在する（特許文献２）。
【０００５】
そして、前記鞄を使用する際には、底層２３と最上層２４との間に荷物を収め、そののち第三線ファスナー２６を完全に閉めれば、鞄をいきなり開けても中の荷物が落ちてしまうような事態を防止することができるとしている。
【先行技術文献】
【特許文献】
【０００６】
【特許文献１】特許第３８２２５６０号公報
【特許文献２】実用新案登録第３１７３５６３号公報
【発明の概要】
【発明が解決しようとする課題】
【０００７】
上記従来の鞄は、蓋体を開いた状態では、仕切り生地１３または最上層２４を設けていない本体側または蓋体側が開け放されているので、収納した荷物が露出しており、見掛けがよくないという問題点を有していた。
【０００８】
さらに、上記従来の鞄は、鞄内に荷物を満杯に収納する場合に、一般的には本体側と蓋体側に分けて収納し、仕切り生地１３または最上層２４を設けた本体側または蓋体側を閉じなければならない。そのため、従来の鞄では、本体側と蓋体側に分けて荷物を収納するのが、二度手間で面倒であるという問題点を有していた。さらに、従来の鞄では、閉じようとする蓋体側にも荷物が収納されているので、この荷物の荷重が掛かって操作がし難く、また蓋体を開く場合にも、同様にその荷物の荷重が掛かって操作がし難いという問題点を有していた。
【０００９】
また、上記従来の鞄は、いずれも蓋体の開閉時に仕切り生地１３または最上層２４を設けた本体側または蓋体側に収納した荷物が落ちないようにしているが、図６に示したように、鞄を立てたままにして蓋体を開くと、仕切り生地１３または最上層２４を設けていない本体側または蓋体側に収納した荷物が落ちてしまう。したがって、従来の鞄では、仕切り生地１３または最上層２４を設けていない本体側または蓋体側に収納した荷物が落ちてしまわないようにするには、図７に示したように、鞄を横にした状態にして、仕切り生地１３または最上層２４を設けた本体側または蓋体側を開かなければならないという問題点を有していた。
【００１０】
そこで、この発明は、上記従来の問題点を解決するためになされたものであり、蓋体を開いた状態でも収納した荷物が露出して見掛けが悪くなることがなく、また本体側と蓋体側に分けて荷物を収納する必要がなく、さらに蓋体を開閉操作する場合にも荷物の荷重が掛からずその操作がし易く、しかも鞄を立てたままにして蓋体を開いても収納した荷物が落ちてしまうことがない鞄を提供することを目的とする。
【課題を解決するための手段】
【００１１】
そのため、この発明の鞄は、箱状とした本体１から箱状とした蓋体２を見開き状態に開閉操作ができるようにしており、前記蓋体２を閉じた状態において、この蓋体２の内側に沿うようにすると共に、収納した荷物の出入れ口４を有したテント状内装体５を、前記本体１の開口周縁部１ａに設けている。
【００１２】
そして、この発明の鞄において、前記テント状内装体５は、天面部５ａと側周面部５ｂにより略四角屋根状に形成されている。
【００１３】
さらに、この発明の鞄において、前記テント状内装体５は、本体１の内周面部１ｂに沿うようにして内側に折り返せるようにしている。
【００１４】
また、この発明の鞄において、前記テント状内装体５は、側周面部５ｂを構成する外生地６と内生地７の間に保持板８を内装して、下端周縁部を前記本体１の開口周縁部１ａに縫着している。
【発明の効果】
【００１５】
この発明の鞄は、以上に述べたような構成としているので、蓋体を開いた状態でも収納した荷物が露出することなく見掛けが悪くなることがない。したがって、蓋体を開け放したままの状態にしておくことができ、また蓋体を長期間、開け放したままの状態にしておいても、荷物に塵や埃が溜まってしまうようなことはない。
【００１６】
そして、この発明の鞄は、本体側に荷物を収納するだけでよく、荷物を収納するのが二度手間になるようなことはなく便利なものとなった。
【００１７】
さらに、この発明の鞄は、蓋体を開閉操作する場合にも荷物の荷重が掛からずその操作がし易いものとなる。したがって、老人や子供等の力の弱い鞄使用者によっても力を入れることなく簡単に蓋体の開閉操作ができるものとなる。
【００１８】
また、この発明の鞄は、鞄を立てたままにして蓋体を開いても収納した荷物が落ちてしまうことがない。したがって、鞄を横にする暇がなく、緊急に鞄に収納した荷物を取り出したい場合にも対処することができるものとなる。
【図面の簡単な説明】
【００１９】
【図１】この発明の鞄の蓋体を開いた状態において、テント状内装体の出入れ口を閉じた状態にしている斜視図である。
【図２】この発明の鞄の蓋体を開いた状態において、テント状内装体の出入れ口を開いた状態にしている斜視図である。
【図３】この発明の鞄の蓋体を開いた状態において、テント状内装体の出入れ口を開いた状態にし、このテント状内装体を本体の内側に折り返した状態にしている斜視図である。
【図４】この発明の鞄の図１中の丸で囲んだ部分の概略断面図である。
【図５】この発明の鞄の図３中の丸で囲んだ部分の概略断面図である。
【図６】従来の鞄の一例を示しており、その鞄の蓋体を開いた状態にしている斜視図である。
【図７】従来の鞄の他の例を示しており、その鞄の蓋体を開いた状態にしている斜視図である。
【発明を実施するための形態】
【００２０】
以下、この発明の鞄を実施するための形態を、図面に基づいて詳細に説明する。
【００２１】
この発明の鞄は、図１〜３に示したように、箱状とした本体１と箱状とした蓋体２とからなり、本体１から蓋体２を見開き状態に開閉操作ができるようにしている。前記本体１と蓋体２は、いずれも合成樹脂の成形品としており、一般的には本体１を蓋体２より深く形成しているが、同一に形成することもできる。また、場合によっては本体１を蓋体２より浅く形成することもできる。
【００２２】
この発明の鞄において、本体１から蓋体２を見開き状態に開閉操作ができるようにするには、図示したように、本体１と蓋体２のそれぞれの開口周縁部１ａ、２ａに沿ってエンドレス状に一対の鞄用ファスナー体３ａ、３ｂを装着し、開閉操作時にはこの鞄用ファスナー体３ａ、３ｂを全開しないで、一側縁で一部を噛み合わせたままにして、その部分から見開き状態に開閉操作ができるようにしているが、その構造は限定されることはない。例えば、本体１と蓋体２のそれぞれの開口部の一側縁間にヒンジ（図示せず）を介在させたものとして、このヒンジから見開き状態に開閉操作ができるようにしたり、本体１の開口部と蓋体２の開口部のそれぞれの一側縁を残して三側縁に沿って前記鞄用ファスナー体３ａ、３ｂを装着し、その三側縁の鞄用ファスナー体３ａ、３ｂを全開し、残りの一側縁から見開き状態に開閉操作ができるようにしてもよい。
【００２３】
そして、この発明の鞄は、前記本体１には、前記蓋体２を閉じた状態において、この蓋体２の内側に沿うようにすると共に、収納した荷物の出入れ口４を有したテント状内装体５を、その本体１の開口周縁部１ａに張り出すようにして設けている。
【００２４】
前記テント状内装体５は、合成樹脂地等からなり、天面部５ａと側周面部５ｂにより略四角屋根状に形成されている。さらに、テント状内装体５は、図４、５に示したように、側周面部５ｂを構成する外生地６と内生地７の間に保持板８を内装して、下端周縁部を前記本体１の開口周縁部１ａに縫着するなどすることにより、図１、２に示したように、本体１の開口周縁部１ａに張り出すようにして設け、必要に応じて図３に示したように、本体１の内周面部１ｂに沿うようにして内側に折り返せるようにしている。なお、保持板８は、側周面部５ｂを自立した状態に保持しておけるものであればよく、柔軟性を有する合成樹脂シート等から作成されているが、特にその材質は限定されることがない。また、テント状内装体５は、図示していないが、必要に応じ天面部５ａの表側に、小物を収納するためのポケット等を設けておくことができる。
【００２５】
前記出入れ口４は、図示したように、テント状内装体５の天面部５ａの周縁部分と側周面部５ｂの上端周縁部分に沿ってエンドレス状に一対の内装体用ファスナー体９ａ、９ｂを装着し、この内装体用ファスナー体９ａ、９ｂを全開しないで、一側縁で一部を噛み合わせたままにして、その部分から見開き状態に開いて、その部分を出入れ口４とするようにしているが、その構造は限定されることはない。例えば、図６に示した従来の鞄のように、テント状内装体５の天面部５ａに、略コの字状にファスナー体（図示せず）を装着し、このファスナー体を全開して、その部分を出入れ口４としたり、また図示していないが、テント状内装体５の側周面部５ｂの中間部分において全周にエンドレス状に一対の内装体用ファスナー体９ａ、９ｂを装着し、前記したのと同様に出入れ口４とするようにしてもよい。なお、前記出入れ口４は、このように見開き状態にして大きく開かなくても、必要に応じてファスナー体の一部を開くことにより、その部分を出入れ口４とすることもできる。
【００２６】
以上のように構成したこの発明の鞄を使用するには、次のようにして行なう。
【００２７】
先ず、鞄に荷物を収納する場合には、図１に示したように、鞄用ファスナー体３ａ、３ｂを図面後方の一側縁を噛み合わせたままにして、他の三側縁の鞄用ファスナー体３ａ、３ｂを開き、蓋体２を起こすことによりこの蓋体２を開く。そして、図２に示したように、内装体用ファスナー体９ａ、９ｂを図面後方の一側縁を噛み合わせたままにして、他の三側縁の内装体用ファスナー体９ａ、９ｂを開き、天面部５ａを起こすことによりテント状内装体５の出入れ口４を開く。この開いた出入れ口４から荷物を鞄内に収納し、本体１内からテント状内装体５内に至るまで荷物を詰め込んでから、天面部５ａを倒し、開いた三側縁の内装体用ファスナー体９ａ、９ｂを閉じ、出入れ口４を閉じる。さらに、前記蓋体２を倒し、開いた三側縁の鞄用ファスナー体３ａ、３ｂを閉じることにより、蓋体２を閉じればよい。
【００２８】
次に、鞄に収納した荷物を取り出す場合は、前記した鞄に荷物を収納する場合と同様にして、鞄の蓋体２およびテント状内装体５の出入れ口４を開いて、本体１内からテント状内装体５内に至るまで詰め込んだ荷物を取り出せばよい。
【００２９】
さらに、この発明の鞄は、テント状内装体５の側周面部５ｂを、図２に示した状態から図３に示したように、本体１の内周面部１ｂに沿うようにして内側に折り返せるようにしている。したがって、鞄を使用しないときには、このような状態にしておき、鞄を使用するときに、テント状内装体５の側周面部５ｂを起こして、図２に示した状態に戻すこともできる。さらに、鞄に収納する荷物が少ない場合などには、このようにテント状内装体５の側周面部５ｂを折り返した状態にして鞄を使用することもできる。なお、このような場合には、本体１内に別途止めバンド（図示せず）を備えるなどして、本体１内に収納する荷物を落ちないにしておけばよい。
【００３０】
以上のように構成したこの発明の鞄は、荷物を収納した状態で蓋体２を開いても、収納した荷物がテント状内装体５に被われており、露出することないので見掛けが悪くなることがない。したがって、蓋体２を開いたままの状態にしておくことができ、また蓋体２を長期間、開いたままの状態にしておいても、荷物に塵や埃が溜まってしまうようなことはない。
【００３１】
そして、この発明の鞄は、荷物を収納する場合にも、本体１側のみに、すなわち本体１内からテント状内装体５内に至るまで荷物を詰め込めばよいので、本体側１と蓋体側２に分けて荷物を収納する必要がなく、荷物を収納するのが二度手間になるようなことはなく便利なものとなった。
【００３２】
さらに、この発明の鞄は、蓋体２を開閉操作する場合にも鞄に収納した荷物の荷重が掛からずその操作がし易いものとなる。したがって、老人や子供等の力の弱い鞄使用者によっても力を入れることなく簡単に蓋体２の開閉操作ができるものとなる。
【００３３】
また、この発明の鞄は、鞄を立てたままにして蓋体２を開いても、収納した荷物が落ちてしまうことがない。したがって、鞄を横にする暇がなく、鞄に収納した荷物を緊急に取り出したい場合にも対処することができる。
【符号の説明】
【００３４】
１  本体
１ａ  開口周縁部
１ｂ  内周面部
２  蓋体
４  出入れ口
５  テント状内装体
５ａ  天面部
５ｂ  側周面部
６  外生地
７  内生地
８  保持板
【図１】
2016158730.tif 000003
【図２】
2016158730.tif 000004
【図３】
2016158730.tif 000005
【図４】
2016158730.tif 000006
【図５】
2016158730.tif 000007
【図６】
2016158730.tif 000008
【図７】
2016158730.tif 000009